(57)【要約】      （修正有）【課題】毛布類を、広範囲のデザインが見えるようにハンガーに掛け吊るして陳列することに利用でき且つ折り畳み手提げて運ぶための包装が容易に行える毛布類袋を提供する。【解決手段】ハンガーに掛けた毛布類が収まる大きさの縦長の袋外地と、袋外地の縦方向の一端側の部分に設けられたカバー布であって、袋外地の周縁とこれに対応するカバー布の部分とが縫着されてなる第一のカバー布１３と、袋外地の一端側と反対の他端側の部分の上に設けられたカバー布であって、袋外地の周縁とこれに対応するカバー布の部分とが縫着されてなる第二のカバー布１４と、袋外地の一端において袋外地と第一のカバー布１３とで、また袋外地の他端において袋外地と第二のカバー布１４とで夫々形成されたハンガーフック挿通口とを備えてなる。【選択図】図１
0003176773.tif 000002
【実用新案登録請求の範囲】
【請求項１】
毛布類を折り畳みハンガーに掛け吊るした状態で陳列する際に、また陳列された毛布類を更に折り畳み手提げて運ぶ際にも使用される袋であって、
毛布類を折り畳みてハンガーに掛け吊るした陳列形態の毛布類重ねが少なくとも収まる大きさの縦長の袋ベース部と、
該袋ベース部の縦方向の一端側に設けられたカバー部であって、前記陳列形態の毛布類重ねの一部を覆い収納する第一カバー部と、
前記袋ベース部の縦方向の他端側に設けられた該第一カバー部よりもより厚幅のカバー部であって、該カバー部内に、前記第一カバー部に収納された前記陳列形態の毛布類重ねの一部を差し入れて前記陳列形態の毛布類重ねを更に折り畳んだ手提げ形態の毛布類重ねを覆い収納する第二カバー部と、
前記第一カバー部及び前記第二カバー部にそれぞれ形成された、前記ハンガーのフック付把手部を通すためのフック差し入れ口とを備えてなる、毛布類袋。
【請求項２】
前記第二カバー部の、前記陳列形態の毛布類重ねの一部を差し入れる差し入れ口の周縁に、該差し入れ口の周縁と前記手提げ形態の毛布類重ねとの隙間を覆うための隙間カバーを取り付けてなることを特徴とする、請求項１記載の毛布類袋。
【請求項３】
前記袋ベース部を構成する布であって前記陳列形態の毛布類重ねの上側面を覆うように延長されたベース布を、第一カバー布とを縫合することにより、前記第一カバー部が形成されてなることを特徴とする、請求項１又は請求項２記載の毛布類袋。
【請求項４】
前記袋ベース部を構成する布であって前記手提げ形態の毛布類重ねの下側面を覆うように延長されたベース布と、第二カバー布とを縫合することにより、前記第二カバー部が形成されてなることを特徴とする、請求項１乃至請求項３記載の毛布類袋。
【考案の詳細な説明】
【技術分野】
【０００１】
本考案は、店頭等において毛布をハンガーに掛けた状態で陳列する際、埃等の汚れから保護することができ且つ持ち運ぶための包装に使用できる毛布類袋に関する。
【背景技術】
【０００２】
従来より、店頭等においては、毛布類は折り畳まれた状態でそのまま棚に置かれて陳列されていることが多い。そして通常はその折り畳まれた状態で複数積み重ねられている為、購入者が実際に目にすることができるのは主にその折り畳まれた部分のみであって、毛布類のデザインをごく一部しか見ることができない。したがって陳列されていてもその宣伝効果が低いのが現状である。さらには、購入された際には購入者が持ち帰りやすい大きさに改めて畳み直した上に包装する手間をかける必要がある。
そこで、毛布類を宣伝効果高く陳列することができ、持ち運ぶための包装が容易に行える毛布類の陳列用そして持ち運び用の袋の開発が望まれている。
【０００３】
特許文献１には布団類を折り畳み収納された状態で陳列するのに使用される布団類陳列袋が記載されている。該陳列袋は、正面部が透明材の材質により形成されているという構造により、該陳列袋に収納された布団類のデザインを正面部を通して外部から見ることができるものである。しかし該陳列袋では、収納された布団類の広い範囲のデザインを見ることができず、この点において改善の余地があった。
【先行技術文献】
【特許文献】
【０００４】
【特許文献１】特開２００４−４２９７２号公報
【考案の概要】
【考案が解決しようとする課題】
【０００５】
本考案は上述の事情を鑑みて為されたものであって、毛布類を、広範囲のデザインが見えるようにハンガーに掛け吊るして陳列することに利用でき且つ折り畳み手提げて運ぶための包装が容易に行える毛布類袋を提供しようとするものである。
【課題を解決するための手段】
【０００６】
すなわち本考案は、毛布類を折り畳みハンガーに掛け吊るした状態で陳列する際に、また陳列された毛布類を更に折り畳み手提げて運ぶ際にも使用される袋であって、
毛布類を折り畳みてハンガーに掛け吊るした陳列形態の毛布類重ねが少なくとも収まる大きさの縦長の袋ベース部と、
該袋ベース部の縦方向の一端側に設けられたカバー部であって、前記陳列形態の毛布類重ねの一部を覆い収納する第一カバー部と、
前記袋ベース部の縦方向の他端側に設けられた該第一カバー部よりもより厚幅のカバー部であって、該カバー部内に、前記第一カバー部に収納された前記陳列形態の毛布類重ねの一部を差し入れて前記陳列形態の毛布類重ねを更に折り畳んだ手提げ形態の毛布類重ねを覆い収納する第二カバー部と、
前記第一カバー部及び前記第二カバー部にそれぞれ形成された、前記ハンガーのフック付把手部を通すためのフック差し入れ口とを備えてなる、毛布類袋に関する。
また本考案の好ましい態様は、前記第二カバー部の、前記陳列形態の毛布類重ねの一部を差し入れる差し入れ口の周縁に、該差し入れ口の周縁と前記手提げ形態の毛布類重ねとの隙間を覆うための隙間カバーを取り付けてなることを特徴とする毛布類袋に関する。
また本考案のより好ましい態様は、前記袋ベース部を構成する布であって前記陳列形態
の毛布類重ねの上側面を覆うように延長されたベース布を、第一カバー布とを縫合することにより、前記第一カバー部が形成されてなることを特徴とする、前記毛布類袋に関する。
また本考案の更により好ましい態様は、前記袋ベース部を構成する布であって前記手提げ形態の毛布類重ねの下側面を覆うように延長されたベース布と、第二カバー布とを縫合することにより、前記第二カバー部が形成されてなることを特徴とする、毛布類袋に関する。
【考案の効果】
【０００７】
本考案の毛布類袋は、ハンガーに掛け吊るした毛布類重ねの上下を第一カバー部及び第二カバー部で覆うことができるので、汚れを防いだ状態で該毛布類を店頭で陳列することができる。また本発明の毛布類袋は、陳列形態にある毛布類を折り畳み手提げて運ぶことができる形態に容易に包装することができる。
【図面の簡単な説明】
【０００８】
【図１】図１は本考案の実施例１の毛布類袋１の全体図である。
【図２】図２は本考案の実施例１の毛布類袋１を使用して毛布類重ねをハンガーに吊るした陳列形態の状態を示す図である。
【図３】図３は本考案の実施例１の毛布類袋１を使用して毛布類重ねを包装した手提げ形態の状態を示す図である。
【図４】図４は本考案の実施例１の毛布類袋１を使用して毛布類重ねを包装している途中の状態を示す図である。
【考案を実施するための形態】
【実施例】
【０００９】
以下、本考案の実施例の毛布類袋１を図１乃至図４を用いて説明する。
図１に示す通り、本考案の毛布類袋１は、毛布類を折り畳みてハンガー３０に掛け吊るした陳列形態の毛布類重ね２０（図２参照）が少なくとも収まる大きさの縦長の袋ベース部２と、
袋ベース部２の縦方向の一端側に設けられたカバー部であって、陳列形態の毛布類重ね２０の一部を覆い収納する第一カバー部３と、
袋ベース部２の縦方向の他端側に設けられた第一カバー部３よりもより厚幅のカバー部であって、カバー部内に、第一カバー部３に収納された陳列形態の毛布類重ね２０の一部を差し入れて陳列形態の毛布類重ね２０を更に折り畳んだ手提げ形態の毛布類重ね２１（図３参照）を覆い収納する第二カバー部４と、
第一カバー部３及び第二カバー部４にそれぞれ形成された、前記ハンガー３０のフック付把手部３１を通すためのフック差し入れ口５及び６とを備えてなるものである。図１中、１５は縫着された縫い目を示す。
毛布類袋１の寸法は、ハンガー３０に掛けられた毛布類重ね２０が納まり且つ陳列の際に場所を取り過ぎないように縦方向の長さＬを８００ｍｍ乃至１２００ｍｍ、横方向の長さＷを３００ｍｍ乃至６００ｍｍの範囲の寸法にすることが好ましい。
【００１０】
第一カバー部３及び第二カバー部４は、折り畳みハンガーに掛け吊るした陳列形態の毛布類重ね２０の上部又は下部を覆うことができるよう袋状の形態を為す。
第一カバー部３は、例えば縦方向の長さＬ１を１００ｍｍ乃至３００ｍｍ、厚さＤ１を５０ｍｍ乃至１５０ｍｍの範囲にすることが好ましい。
また、第二カバー部４は、第一カバー部３よりも厚幅に形成されており、例えば第二カバー部４の厚さＤ２は、第一カバー部３の厚さＤ１の２倍以上である１００ｍｍ乃至３００ｍｍの範囲にすることが好ましい。また、第二カバー部４は縦方向の長さＬ２を、２００ｍｍ乃至４００ｍｍの範囲にすることが好ましい。
しかし、毛布類袋１の各寸法は、上記に記載された値に限定されるものでなく、適用する毛布類の大きさによって適宜変更され得る。
第一カバー部３は、袋ベース部を構成する布であって陳列形態の毛布類重ね２０の底面の他、上側面をも覆うように延長されたベース布１０と第一カバー布１３とを縫合することにより形成され、また、第二カバー部４は、袋ベース部を構成する布であって手提げ形態の毛布類重ね２１の底面の他、下側面をも覆うように延長されたベース布１０と、第二カバー布１４を縫合することにより形成される。
【００１１】
袋ベース部２、第一のカバー布１３及び第二のカバー布１４の材質は特に制限されるものでは無いが、ポリオレフィン、ポリアミド、アクリル、セルロース、セルロース誘導体等の合成樹脂製のシート、及びそれらの不織布が好ましく、また、それぞれ異なる材質のシートを袋ベース部２、第一カバー布１３及び第二カバー布１４に適用しても良い。
特に第一カバー布１３及び第二カバー布１４は陳列された際に毛布が見え易いように、透明又は半透明の材料を使用することが好ましい。また袋ベース部２と第一カバー布１３及び第二カバー布１４とで異なる材質を使用しても良い。
また合成樹脂製のシート又は不織布の厚さは、破れにくく且つ取り扱い易い柔軟性を有するよう１０乃至５０ｕｍの範囲にすることが好ましい。
【００１２】
次に、毛布類袋１の使用方法を説明する。まず、毛布類を縦に二つ折りし毛布類重ね２０の形態にした後ハンガー３０に吊るし、次に、ハンガーのフック付把手部３１及び毛布類重ね２０を差し入れ口７から第一カバー部３に差し入れ、把手部３１をフック差し入れ口５に差し入る。次に、該毛布類重ね２０の下部を差し入れ口８から第二カバー部４に差し入れる。このような操作を行うことにより、図２に示す通り、ハンガー３０に掛けられた毛布類重ね２０の上部と下部を、毛布類袋１の第一カバー部３及び第二カバー部４で覆われた状態で吊るして陳列することができる。毛布類重ね２０をハンガー３０に掛け吊るすことにより、折り畳まれた状態で複数積み重ねられている場合と比較して広い範囲のデザインが目視できる状態で陳列することができる。
また、毛布類重ね２０は上部と下部が第一カバー部３及び第二カバー部４で覆われることにより、店頭で吊るして陳列した状態でも埃などの汚れを緩和することができる。
【００１３】
また、毛布類袋１は毛布類が購入された際に、持ち運ぶための包装に使用することができる。包装するにはまず、第一カバー部３及び第二カバー部４で上下を覆われ、ハンガー３０に掛けられた毛布類重ね２０を横二つ折りにしながら、ハンガー３０のフック付把手部３１及び第一カバー部３に覆われた毛布類重ね２０を、第二カバー部４の差し入れ口８から差し入れる。図４に、ハンガー３０のフック付把手部３１及び第一カバー部３に覆われた毛布類重ね２０を第二カバー部４に差し入れた状態の図を示す。次にハンガー３０のフック付把手部３１をフック差し入れ口６に通し、第一カバー部３に覆われた毛布類重ね２０を第二カバー部で覆う。上述の通り、第二カバー部４は、厚さＤ２が第一カバー部の厚さＤ１よりも厚幅であることから、差し入れた毛布類重ね２０を覆うことができ、図３に示されるような二つ折りの持ち運び可能な形態となる。
【００１４】
また、第二のカバー布の縦方向の長さＬ２が、ベース布１０の縦方向の長さＬの半分よりも短かいと、毛布類袋１を二つ折りの持ち運び可能な形態とした際に毛布類７の側面が外部に露出しやすくなる。毛布類袋１は第二カバー部４の差し入れ口８の周縁の両端に、露出した毛布類重ね２１の側面を隠すことができる隙間カバー９を設けていてなる。この隙間カバー９を用いることにより、持ち運びの際に汚れを防ぐことができ、そして毛布類を外部から見えにくくすることができる。
【００１５】
本考案の毛布類陳列袋を使用することにより、毛布類をハンガーに吊るし、広い範囲のデザインが見える状態で陳列することができ、また、陳列された状態から持ち運ぶための
包装を容易に行うことができる。
【符号の説明】
【００１６】
１                  毛布類袋
２                  袋ベース部
３、４              カバー部
５、６              フック差し入れ口
７、８              差し入れ口
９                  隙間カバー
１０                ベース布
１３、１４          カバー布
１５                縫い糸
２０                陳列形態の毛布類重ね
２１                手提げ形態の毛布類重ね
３０                ハンガー
３１                フック付把手部
【図１】
0003176773.tif 000003
【図２】
0003176773.tif 000004
【図３】
0003176773.tif 000005
【図４】
0003176773.tif 000006